【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
被検体の偏光平面画像を取得する平面画像取得手段と、
前記被検体の複数の２次元断層画像から成る３次元断層画像を取得する断層画像取得手段と、
前記複数の２次元断層画像のうち表示手段に表示させる２次元断層画像の位置を示す指標を、前記偏光平面画像に重ねて該表示手段に表示させる表示制御手段と、
前記偏光平面画像上で前記指標の位置を変更する指示を行う指示手段と、
を有することを特徴とする画像処理装置。
【請求項２】
前記表示制御手段が、第１の指標と第２の指標とを前記指標として前記偏光平面画像に重ねて前記表示手段に表示させ、
前記指示手段が、前記第１及び第２の指標のうち一方の位置に対して他方の位置を変更する指示を行うことを特徴とする請求項１に記載の画像処理装置。
【請求項３】
前記第１の指標が前記指示手段により指示された場合に、前記第１の指標を固定してから、前記指示手段が、前記第２の指標の位置を変更する指示を行うことを特徴とする請求項２に記載の画像処理装置。
【請求項４】
前記第１及び第２の指標の距離を計測する手段を更に有し、
前記表示制御手段が、前記距離を示す表示形態を前記表示手段に表示させることを特徴とする請求項２または３に記載の画像処理装置。
【請求項５】
前記被検体は、被検眼の眼底であり、
前記偏光平面画像は、リターデーションマップであり、
前記表示制御手段が、前記指標の位置に対応するリターデーションの値及び前記眼底におけるＲＮＦＬの厚さを前記表示手段に表示させることを特徴とする請求項１乃至４のいずれか１項に記載の画像処理装置。
【請求項６】
前記平面画像取得手段が、光を照射した前記被検体からの戻り光を分割して得た互いに異なる偏光の光に基づいて、前記偏光平面画像を取得することを特徴とする請求項１乃至５のいずれか１項に記載の画像処理装置。
【請求項７】
前記断層画像取得手段が、測定光を照射した前記被検体からの戻り光と前記測定光に対応する参照光とを合波した光を分割して得た互いに異なる偏光の光に基づいて、前記被検体の３次元の断層輝度画像を前記３次元断層画像として取得することを特徴とする請求項１乃至６のいずれか１項に記載の画像処理装置。
【請求項８】
前記断層画像取得手段が、測定光を照射した前記被検体からの戻り光と前記測定光に対応する参照光とを合波した光を分割して得た互いに異なる偏光の光に基づいて、前記被検体の複数の２次元の偏光断層画像から成る３次元の偏光断層画像を前記３次元断層画像として取得し、
前記平面画像取得手段が、前記３次元の偏光断層画像に基づいて、前記偏光平面画像を取得することを特徴とする請求項１乃至５のいずれか１項に記載の画像処理装置。
【請求項９】
前記被検体を撮影する撮影装置に通信可能に接続され、
前記断層画像取得手段は、前記撮影装置により前記被検体を撮影して得た前記３次元断層画像を取得することを特徴とする請求項１乃至８のいずれか１項に記載の画像処理装置。
【請求項１０】
被検体の平面輝度画像を取得する平面画像取得手段と、
前記被検体の複数の２次元の偏光断層画像から成る３次元の偏光断層画像を取得する断層画像取得手段と、
前記複数の２次元の偏光断層画像のうち表示手段に表示させる２次元の偏光断層画像の位置を示す指標を、前記平面輝度画像に重ねて該表示手段に表示させる表示制御手段と、
前記平面輝度画像上で前記指標の位置を変更する指示を行う指示手段と、
を有することを特徴とする画像処理装置。
【請求項１１】
前記断層画像取得手段が、測定光を照射した前記被検体からの戻り光と前記測定光に対応する参照光とを合波した光を分割して得た互いに異なる偏光の光に基づいて、前記３次元の偏光断層画像を取得することを特徴とする請求項１０に記載の画像処理装置。
【請求項１２】
前記断層画像取得手段が、測定光を照射した前記被検体からの戻り光と前記測定光に対応する参照光とを合波した光を分割して得た互いに異なる偏光の光に基づいて、前記被検体の３次元の断層輝度画像を取得し、
前記平面画像取得手段が、前記３次元の断層輝度画像に基づいて、前記平面輝度画像を取得することを特徴とする請求項１０または１１に記載の画像処理装置。
【請求項１３】
前記平面画像取得手段が、光を照射した前記被検体からの戻り光を分割して得た互いに異なる偏光の光に基づいて、前記平面輝度画像を取得することを特徴とする請求項１０または１１に記載の画像処理装置。
【請求項１４】
前記被検体を撮影する撮影装置に通信可能に接続され、
前記断層画像取得手段は、前記撮影装置により前記被検体を撮影して得た前記３次元の偏光断層画像を取得することを特徴とする請求項１０乃至１３のいずれか１項に記載の画像処理装置。
【請求項１５】
前記被検体は、被検眼であることを特徴とする請求項１乃至１４のいずれか１項に記載の画像処理装置。
【請求項１６】
被検眼の眼底の偏光眼底画像を取得する眼底画像取得手段と、
前記被検眼の眼底の複数の２次元断層画像から成る３次元断層画像を取得する断層画像取得手段と、
前記複数の２次元断層画像のうち表示手段に表示させる２次元断層画像の位置を示す第１の指標と該第１の指標とは異なる第２の指標とを、前記偏光眼底画像に重ねて該表示手段に表示させる表示制御手段と、
前記偏光眼底画像上で前記第１の指標の位置を固定した状態で第２の指標の位置を変更する指示を行う指示手段と、
を有することを特徴とする画像処理装置。
【請求項１７】
前記第１及び第２の指標の距離を計測する手段を更に有し、
前記偏光眼底画像は、リターデーションマップであり、
前記表示制御手段が、前記第１及び第２の指標の位置に対応するリターデーションの値及び前記眼底におけるＲＮＦＬの厚さと、前記距離を示す表示形態とを前記表示手段に表示させることを特徴とする請求項１６に記載の画像処理装置。
【請求項１８】
被検体の偏光平面画像を取得する工程と、
前記被検体の複数の２次元断層画像から成る３次元断層画像を取得する工程と、
前記複数の２次元断層画像のうち表示手段に表示させる２次元断層画像の位置を示す指標を、前記偏光平面画像に重ねて該表示手段に表示させる工程と、
前記偏光平面画像上で前記指標の位置を変更する指示を受ける工程と、
を有することを特徴とする画像処理方法。
【請求項１９】
被検体の平面輝度画像を取得する工程と、
前記被検体の複数の２次元の偏光断層画像から成る３次元の偏光断層画像を取得する工程と、
前記複数の２次元の偏光断層画像のうち表示手段に表示させる２次元の偏光断層画像の位置を示す指標を、前記平面輝度画像に重ねて該表示手段に表示させる工程と、
前記平面輝度画像上で前記指標の位置を変更する指示を受ける工程と、
を有することを特徴とする画像処理方法。
【請求項２０】
被検眼の眼底の偏光眼底画像を取得する工程と、
前記被検眼の眼底の複数の２次元断層画像から成る３次元断層画像を取得する工程と、
前記複数の２次元断層画像のうち表示手段に表示させる２次元断層画像の位置を示す第１の指標と該第１の指標とは異なる第２の指標とを、前記偏光眼底画像に重ねて該表示手段に表示させる工程と、
前記偏光眼底画像上で前記第１の指標の位置を固定した状態で第２の指標の位置を変更する指示を受ける工程と、
を有することを特徴とする画像処理方法。
【請求項２１】
請求項１８乃至２０のいずれか１項に記載の画像処理方法の各工程をコンピュータに実行させることを特徴とするプログラム。
【手続補正２】
【補正対象書類名】明細書
【補正対象項目名】０００７
【補正方法】変更
【補正の内容】
【０００７】
本発明の画像処理装置の一つは、
被検体の偏光平面画像を取得する平面画像取得手段と、
前記被検体の複数の２次元断層画像から成る３次元断層画像を取得する断層画像取得手段と、
前記複数の２次元断層画像のうち表示手段に表示させる２次元断層画像の位置を示す指標を、前記偏光平面画像に重ねて該表示手段に表示させる表示制御手段と、
前記偏光平面画像上で前記指標の位置を変更する指示を行う指示手段と、を有する。
また、本発明の画像処理装置の一つは、
被検体の平面輝度画像を取得する平面画像取得手段と、
前記被検体の複数の２次元の偏光断層画像から成る３次元の偏光断層画像を取得する断層画像取得手段と、
前記複数の２次元の偏光断層画像のうち表示手段に表示させる２次元の偏光断層画像の位置を示す指標を、前記平面輝度画像に重ねて該表示手段に表示させる表示制御手段と、
前記平面輝度画像上で前記指標の位置を変更する指示を行う指示手段と、を有する。
また、本発明の画像処理装置の一つは、
被検眼の眼底の偏光眼底画像を取得する眼底画像取得手段と、
前記被検眼の眼底の複数の２次元断層画像から成る３次元断層画像を取得する断層画像取得手段と、
前記複数の２次元断層画像のうち表示手段に表示させる２次元断層画像の位置を示す第１の指標と該第１の指標とは異なる第２の指標とを、前記偏光眼底画像に重ねて該表示手段に表示させる表示制御手段と、
前記偏光眼底画像上で前記第１の指標の位置を固定した状態で第２の指標の位置を変更する指示を行う指示手段と、を有する。